(57)【要約】      （修正有）【課題】一つの封筒に複数の紙片、情報を封入する際に起こる他人の情報の誤封入等の事故が起こらず、開封後は様々な状態で展開するため情報の確認がしやすく受取人の興味を引く折り畳み封書を提供する。【解決手段】縦方向の折り線７及び８を介して横方向に連接された複数の葉片からなる一組の単位シートが横方向の折り線９を介して縦方向に２組連接された封書シートＳ１を、縦方向の折り線７及び８から折り畳んだ後に最終的に横方向の折り線９から二つ折りに折り畳んだ折り畳み封書であり、各対向葉片が疑似接着媒体を介して剥離可能に接着されると共に最終的に横方向の折り線９から二つ折りに折り畳まれ対向する２葉片の対向面間が剥離不能に接着され、横方向の折り線９で形成される袋とじ状態の下縁辺を切除して展開した後に剥離不能な対向葉片の縦方向の左側縁辺及び／又は右側縁辺に残りの葉片が連接される。【選択図】図３
2019084809.tif 000002
【特許請求の範囲】
【請求項１】
縦方向の折り線を介して横方向に連接された複数の葉片からなる一組の単位シートが横方向の折り線を介して縦方向に２組連接された封書シートを、前記縦方向の折り線から折り畳んだ後に最終的に前記横方向の折り線から二つ折りに折り畳んだ折り畳み封書であり、各対向葉片が疑似接着媒体を介して剥離可能に接着されると共に最終的に横方向の折り線から二つ折りに折り畳まれ対向する２葉片の対向面間が剥離不能に接着され、前記横方向の折り線で形成される袋とじ状態の下縁辺を切除して展開した後に前記剥離不能な対向葉片の縦方向の左側縁辺及び／又は右側縁辺に残りの葉片が連接されていることを特徴とした折り畳み封書。
【請求項２】
横方向の折り線に沿って切断手段が形成されていることを特徴とした請求項１に記載の折り畳み封書。
【請求項３】
横方向の折り線に開封手段が形成されていることを特徴とした請求項１に記載の折り畳み封書。
【請求項４】
請求項１の折り畳み封書において下縁辺が切除され封緘状態が開放されていることを特徴とした折り畳み封書。
【発明の詳細な説明】
【技術分野】
【０００１】  本発明は、用紙の折り畳みにより得られる封書であり、大量の情報伝達を可能にすると共に開封後に様々な立体的な状態で展開されるため受取人の興味を引く折り畳み封書とその製造方法に関する。
【背景技術】
【０００２】  従来、案内状やパンフレット等の大量の情報を伝達する手段として、封筒に各種広告宣伝物を封入封緘して郵送する方法が一般的である。しかし最近では個人情報等の管理が重要となり、誤って他人の情報を内容に記載したり、あて先を間違えて記載したために誤配したりする等の事故は極力避けなければならない。また多数の個別の情報を封入封緘する作業に係る多大な経費を削減したいところである。そのような状況下、例えば特開２０００−４３４５６号に記載される折り畳み封書用シートが提案されている。
【先行技術分野】
【特許文献】
【０００３】
【特許文献１】特開２０００−４３４５６号公報
【発明の概要】
【発明が解決しようとする課題】
【０００４】  既述の引用文献に記載される折り畳み封書用シートは、一枚のシートに一対一対応で情報を記載して折り畳み封書に仕上げるため、誤って他人の情報が混じることはない。また折り畳むことで封書に仕上がるので封入封緘の手間も省ける等の長所がある。しかし特殊加工を必要とする突出した封緘辺、封緘のための接着剤塗布、開封に際して封着片を引きちぎるための切取ミシン加工、接着部分が容易に剥離するための剥離剤塗布加工、二条のミシン目による開封手段等の複雑で手間が掛かる加工が必要で、既述の長所があるにも関わらず割高についてしまう。【０００５】  本発明の折り畳み封書は、上記問題に鑑み、一枚のシートに情報を記載して折り畳み封書に仕上げるため、一つの封筒に複数の紙片、情報を封入する際に起こる他人の情報の誤封入や誤配等の事故が起こらず、開封後は様々な状態で展開するため情報の確認がしやすく受取人の興味を引く折り畳み封書を提供することを目的としている。
【課題を解決するための手段】
【０００６】  上記目的を達成するために、本発明の折り畳み封書は、縦方向の折り線を介して横方向に連接された複数の葉片からなる一組の単位シートが横方向の折り線を介して縦方向に２組連接された封書シートを、前記縦方向の折り線から折り畳んだ後に最終的に前記横方向の折り線から二つ折りに折り畳んだ折り畳み封書であり、各対向葉片が疑似接着媒体を介して剥離可能に接着されると共に最終的に横方向の折り線から二つ折りに折り畳まれ対向する２葉片の対向面間が剥離不能に接着され、前記横方向の折り線で形成される袋とじ状態の下縁辺を切除して展開した後に前記剥離不能な対向葉片の縦方向の左側縁辺及び／又は右側縁辺に残りの葉片が連接されていることを特徴としている。【０００７】  なお本発明の折り畳み封書は、下縁辺が最終的に封書シート全体を大きく二つ折りにした際の折り線部分（折り返し部分）になるため、前記折り線部分（折り返し部分）は袋状に閉じられた状態になっている。従って受取人は開封に際して下縁辺を鋏やカッター等の切除道具を使用し切除してから開放する必要がある。その手間を省くため予め重なり合う葉片の下縁辺に沿って切取ミシン等の破断手段を設けておけば、切除道具を使用せず手で破断して開封するようにすることができる。【０００８】  また下縁辺の横方向の折り線に切取ミシン等の破断手段を形成しておいて、前記開封手段と同様に切除道具を使用せず、前記折り線に形成された切取ミシンを手で破断して開封するようにすることもできる。この場合破断に際して切り屑が発生しないのでより至便である。【０００９】  さらに開封に際しての前記全ての手間を省くために、投函前に下縁辺を予め切除して封緘状態を解除した状態で受取人の手元へ届くようにしても構わない。【００１０】  本発明の折り畳み封書に使用される資材は、例えば上質紙、マット紙、コート紙等の通常の用紙、合成紙、不織布或いは樹脂フィルムシート等を好適に使用することができる。そして折り畳まれた対向面同士を剥離可能に接着する疑似接着に使用する疑似接着媒体は、大きく以下の３種類に分けられる。
１）後糊方式
印刷後の用紙の疑似接着予定面に疑似接着性のＵＶニスを塗布して疑似接着性の被膜を形成したもの。前記疑似接着性の被膜同士を対向させて加圧或いは加熱・加圧処理を施すと剥離可能に接着する。エマルジョン型の粘着剤を塗布するものもある。
２）先糊方式
印刷前の用紙の疑似接着予定面に、合成ゴム或いは天然ゴムを主成分とした疑似接着性の媒体を塗布し含侵させる。乾燥後印刷・印字を行い疑似接着予定面同士を対向させて加圧処理を施すと剥離可能に接着する。
３）フィルム方式
印刷後の用紙の疑似接着予定面に疑似接着性のフィルムシートを被覆し、前記疑似接着性のフィルムシートを対向させて加圧或いは加熱・加圧処理を施すと剥離可能に接着する。なお、フィルム方式には、対向する疑似接着予定面に予め被覆しておいて折り合わせて疑似接着する全面貼り方式と、折り畳んだ用紙の疑似接着予定面間に予め疑似接着しているフィルムを挟み込み用紙とフィルムを接着する挟み込み方式の二種類がある。【００１１】  また、本発明の折り畳み封書は、一枚の封書シートを縦横に折り畳み完成されるものであるが、前記折り線に形成されるミシン目や折り筋等の折り手段は、通常折り畳み封書の製造工程中で行われる。また封緘のための密着手段としての疑似接着媒体の形成及び最終的に二つ折りに折り畳まれた際に対向する葉片を完全接着するための完全接着媒体の形成も、前記折り手段と同様で通常折り畳み封書の製造工程中で自動的に行われる。【００１２】  本発明の折り畳み封書は当初縦方向の折り線から折り畳み、続いて横方向の折り線で上下に分割された葉片群を前記横方向の折り線から二つ折りに折り畳み、例えば長３サイズの封書に仕上げる。そして前記横方向の折り線からの折り畳みの際に対向する葉片の対向面間を剥離不能に接着する。そうすることにより受取人が開封した際に興味の湧く様々な形態に展開するのである。【００１３】  本発明の折り畳み封書は最終的に横方向の折り線から折り畳むため、前記横方向の折り線で形成される下縁辺は袋状に閉じられ封緘状態となっている。なお実施例等で前記閉じられている辺を下縁辺と表現しているが、最終的に製造された折り畳み封書のデザインにより上縁辺を袋状に閉じられた辺としても構わない。また横長手方向にデザインした場合、左右何れかの縁辺が袋状の閉じられた辺となる。
【発明の効果】
【００１４】  本発明の折り畳み封書は、一枚のシートに全ての情報を記載し折り畳み封書に仕上げるので、個人情報を印字した複数の別体の紙片を集めて封入封緘する場合に起こる他人の情報の混入、及びそれにより発生する情報の漏洩等の重大な事故が起きない。
また、予想外の状態に開封されるため、変化にとんだデザインに対応できるので、今までのありふれた折り畳み形態の封書と比較して、より受取人の興味を引くと共に開封率も向上する。
さらに本発明の折り畳み封書の製造する際に、各種接着媒体の形成工程や折り手段の形成工程を含む面倒な作業工程を自動で行えるので、素人でも大量の折り畳み封書を短時間で製造することが可能になる。勿論個別の専用機による作業で行っても極めて容易に折り畳み封書を製造することができる。
【図面の簡単な説明】
【００１５】
【図１】（Ａ）は６つ折り封書Ｆ１の表面図、（Ｂ）は裏面図である。
【図２】（Ａ）は図１におけるア−ア線断面図、（Ｂ）はイ−イ線断面図である。
【図３】（Ａ）は６つ折り封書用シートＳ１の表面図、（Ｂ）は裏面図である。
【図４】（Ａ）は６つ折り封書用シートＳ１を縦方向の折り線７及び８より断面Ｓ字状に折り畳んだ状態の平面図、（Ｂ）は（Ａ）におけるウ−ウ線断面図、（Ｃ）は（Ａ）におけるエ−エ線断面図である。
【図５】６つ折り封書Ｆ１を開封し展開した状態の斜視図である。
【図６】（Ａ）は６つ折り封書Ｆ２の表面図、（Ｂ）は裏面図である。
【図７】（Ａ）は図６（Ａ）におけるオ−オ線断面図、（Ｂ）はカ−カ線断面図である。
【図８】（Ａ）は６つ折り封書用シートＳ２の表面図、（Ｂ）は裏面図である。
【図９】（Ａ）は６つ折り封書用シートＳ２を縦方向の折り線１７及び１８より第一葉片１１及び第四葉片１４を巻き込むように折り畳んだ状態の平面図、（Ｂ）は（Ａ）におけるキ−キ線断面図、（Ｃ）は（Ａ）におけるク−ク線断面図である。
【図１０】６つ折り封書Ｆ２を開封し展開した状態の斜視図である。
【図１１】（Ａ）は８つ折り封書Ｆ３の表面図、（Ｂ）は裏面図である。
【図１２】（Ａ）は図１１におけるケ−ケ線断面図、（Ｂ）はコ−コ線断面図である。
【図１３】（Ａ）は８つ折り封書用シートＳ３の表面図、（Ｂ）は裏面図である。
【図１４】（Ａ）は８つ折り封書用シートＳ３を縦方向の折り線３０から二つ折りに折り畳んだ状態の平面図、（Ｂ）は（Ａ）におけるサ−サ線断面図、（Ｃ）は（Ａ）におけるシ−シ線断面図である。
【図１５】（Ａ）は図１４の８つ折り封書用シートＳ３を重なり合う縦方向の折り線２９及び３０からさらに二つ折りに折り畳んだ状態の平面図、（Ｂ）は（Ａ）におけるス−ス線断面図、（Ｃ）は（Ａ）におけるセ−セ線断面図である。
【図１６】８つ折り封書Ｆ３を開封し展開した状態の斜視図である。
【図１７】（Ａ）は８つ折り封書Ｆ４の表面図、（Ｂ）は裏面図である。
【図１８】（Ａ）は図１７におけるソ−ソ線断面図、（Ｂ）はタ−タ線断面図である。
【図１９】（Ａ）は８つ折り封書用シートＳ４の表面図、（Ｂ）は裏面図である。
【図２０】（Ａ）は８つ折り封書用シートＳ４を縦方向の折り線５０から二つ折りに折り畳んだ状態の平面図、（Ｂ）は（Ａ）におけるチ−チ線断面図、（Ｃ）は（Ａ）におけるツ−ツ線断面図である。
【図２１】（Ａ）は図２０の８つ折り封書用シートＳ４を重なり合う縦方向の折り線４９及び５１からさらに二つ折りに折り畳んだ状態の平面図、（Ｂ）は（Ａ）におけるテ−テ線断面図、（Ｃ）は（Ａ）におけるト−ト線断面図である。
【図２２】８つ折り封書Ｆ４を開封し展開した状態の斜視図である。
【発明を実施するための形態】
【００１６】  以下、本発明の実施の形態を図面に基づいて具体的に説明する。
なお本実施例では、疑似接着媒体及び完全接着媒体として取り扱いが至便な、疑似接着フィルムシートを使用したフィルム方式の中でも、一般的に採用されている全面貼り方式に沿って説明するが、他の方式の疑似接着媒体や完全接着媒体を用いても一向にかまわない。またフィルム方式で使用される疑似接着媒体及び完全接着媒体の具体的な構成等は以下の通りであるが、他の構成の疑似接着フィルムシートや完全接着フィルムシートを用いても構わない。
【００１７】  本実施例で使用する疑似接着フィルムシートＧは、例えばポリエチレンテレフタレートや二軸延伸ポリプロピレン等からなる基材の一方の面に、公知の感熱接着剤層を形成すると共に、残るもう一方の面に疑似接着層を形成したサーマルラミネート法に対応したものを好適に使用することができる。このものは印刷物表面に前記感熱接着剤層を介して剥離不能に接着した後、疑似接着層が対向するように折り畳み加圧或いは加熱・加圧処理を施すことで対向面同士が剥離可能に接着する。
【００１８】  本実施例で使用される完全接着フィルムシートＫは、例えばポリエチレンテレフタレートや二軸延伸ポリプロピレン等からなる基材の一方の面に、公知の感熱接着剤層を形成すると共に、残るもう一方の面にヒート処理層を形成したサーマルラミネート法に対応したものを好適に使用することができる。このものは印刷物表面に前記感熱接着剤層を介して剥離不能に接着した後、ヒート処理層が対向するように折り畳み加圧或いは加熱・加圧処理を施すことで対向面同士が剥離不能に接着する。
【実施例１】
【００１９】［６つ折り封書Ｆ１］
図１（Ａ）、（Ｂ）及び図２（Ａ）、（Ｂ）に示される本実施例１の６つ折り封書Ｆ１は、例えば図３（Ａ）及び（Ｂ）に示す封書シートＳ１より作られる。封書シートＳ１は縦方向の折り線７及び８により横方向に連接された第一葉片１、第二葉片２及び第三葉片３が、同様に縦方向の折り線７及び８により横方向に連接された第四葉片４、第五葉片５及び第六葉片６と横方向の折り線９を介して、第一葉片１と第四葉片４、第二葉片２と第五葉片５及び第三葉片３と第六葉片６がそれぞれ隣接するように上下に連接されている。【００２０】  そして前記封書シートＳ１表面は図３（Ａ）に示すように、第一葉片１、第二葉片２、第四葉片４及び第五葉片５の略全面が疑似接着フィルムシートＧにより被覆されている。また図３（Ｂ）に示すように、６つ折り封書用シートＳ１裏面は、第二葉片２、第三葉片３、第五葉片５及び第六葉片６の略全面が疑似接着フィルムシートＧに被覆されると共に第一葉片１及び第四葉片４の略全面が完全接着フィルムシートＫに被覆されている。【００２１】  なお縦方向の折り線７、８及び横方向の折り線９に折りミシンや折り筋等の折り手段を形成しておいて正確に折り畳めるようにしても構わない。本実施例では全ての折り線に折りミシンが形成されている。また折りミシン等の折り手段の形成が封書シートＳ１を形成するシートのみになされていても良く、或いは疑似接着フィルムシートＧと共になされていても構わない。本実施例では両者共に折りミシンが形成されている。【００２２】  既述の構成の封書シートＳ１は図４（Ａ）、（Ｂ）及び（Ｃ）に示すように、第三葉片３裏面と第二葉片２裏面が対向するように、また第六葉片６裏面と第五葉片５裏面が対向するようにそれぞれ縦方向の折り線８から折り畳まれる。同様に第一葉片１表面と第二葉片２表面が対向するように、また第四葉片４表面と第五葉片５表面が対向するようにそれぞれ縦方向の折り線７から折り畳まれ、全体が断面Ｓ字状に折り畳まれる。【００２３】  前記図４（Ａ）、（Ｂ）及び（Ｃ）の状態に折り畳まれた封書シートＳ１を、第一葉片１裏面と第四葉片４裏面同士が対向するように横方向の折り線９から二つ折りに折り畳み、図２（Ａ）及び（Ｂ）の状態にした後にプレスローラ或いはヒートローラ等により加圧或いは加熱加圧処理を施せば、各葉片の対向面間に介在する疑似接着フィルムシートＧ同士は剥離可能に接着され、完全接着フィルムＫ同士は剥離不能に接着されて図１（Ａ）及び（Ｂ）の状態、即ち６つ折り葉書Ｆ１となるのである。【００２４】  このようにして製造される６つ折り封書Ｆ１は図２（Ａ）に示すように、上から第三葉片３、第二葉片２、第一葉片１、第四葉片４、第五葉片５及び第六葉片６の順に積み重ねられ、第一葉片１と第四葉片４の対向面間は完全接着フィルムシートＫの介在により剥離不能に接着され、その他の各葉片の対向面間は疑似接着フィルムシートＧの介在により剥離可能に接着されている。【００２５】  また図２（Ｂ）に示すように、第三葉片３、第二葉片２及び第一葉片１と横方向の折り線９により上下方向に連接されている第六葉片６、第五葉片５及び第四葉片４が、前記横方向の折り線９から二つ折りに折り畳まれているため、図中下辺は袋とじ状態となっている。従って本実施例１の６つ折り封書Ｆ１は、前記袋とじ状態の下辺を切除等により解放しなければ展開することはできない。【００２６】  この折り畳み封書Ｆ１の受取人は例えば図１（Ａ）及び（Ｂ）に示すように、下側縁辺に沿って破線で示される切取線１０と、鋏のマーク或いは「ここから切り落として開けてください。」の文言等に従い、カッターや鋏等の公知の切除道具により切取線１０を切除する。すると図２（Ｂ）に示す袋とじ状態の下側縁辺が二点鎖線で示す切取線１０から切除され、全葉片間を剥離する準備が整えられる。【００２７】  なお各葉片の前記切取線１０に対応する部分に切取ミシンを形成し容易に一括破断できるようにしておくことにより、切除道具を使用することなく手で切除できるようにしても構わない。また図２（Ｂ）に示す横方向の折り線９部分に切取ミシンを形成しておいて、前記横方向の折り線９を手で破断し袋とじ状態を解除できるように操作しても構わない。なお横方向の折り線９に切取ミシンを形成する場合、開封後に切除片が切り屑として残らず極めて至便である。【００２８】  既述の通り下側縁辺を切除した後に、受取人は各葉片間を剥離して最終的に図５に示すように、中央部分の第一葉片１と第四葉片４が全面的に接着された状態に展開され、折り畳み封書Ｆ１の内部に隠されていた各種情報を、透明或いは半透明な疑似接着フィルムシートＧを透して確認することができるのである。
【実施例２】
【００２９】［６つ折り封書Ｆ２］
図６（Ａ）、（Ｂ）及び図７（Ａ）、（Ｂ）に示される本実施例２の６つ折り封書Ｆ２は、例えば図８（Ａ）及び（Ｂ）に示す封書シートＳ２より作られる。封書シートＳ２は縦方向の折り線１７及び１８により横方向に連接された第一葉片１１、第二葉片１２及び第三葉片１３が、同様に縦方向の折り線１７及び１８により横方向に連接された第四葉片１４、第五葉片１５及び第六葉片１６と横方向の折り線１９を介して、第一葉片１１と第四葉片１４、第二葉片１２と第五葉片１５及び第三葉片１３と第六葉片１６がそれぞれ隣接するように上下に連接されている。【００３０】  そして前記封書シートＳ２表面は図８（Ａ）に示すように、第一葉片１１及び第四葉片１４の略全面が疑似接着フィルムシートＧにより被覆されると共に、第二葉片１２及び第五葉片１５の略全面が完全接着フィルムシートＫにより被覆されている。また図８（Ｂ）に示すように、６つ折り封書用シートＳ２裏面は、６葉片全部の略全面が疑似接着フィルムシートＧに被覆されている。【００３１】  なお縦方向の折り線１７、１８及び横方向の折り線１９に折りミシンや折り筋等の折り手段を形成しておいて正確に折り畳めるようにしても構わない。本実施例では全ての折り線に折りミシンが形成されている。また折りミシン等の折り手段の形成が封書シートＳ２を形成するシートのみになされていても良く、或いは疑似接着フィルムシートＧと共になされていても構わない。【００３２】  既述の構成の封書シートＳ２は図９（Ａ）、（Ｂ）及び（Ｃ）に示すように、最初に第三葉片１３裏面と第二葉片１２裏面及び第六葉片１６と第五葉片１５裏面が対向するように折り線１８から折り畳まれる。その後第一葉片１１裏面と第三葉片１３表面及び第四葉片１４裏面と第六葉片１６表面が対向するように折り畳まれ、第三葉片１３及び第六葉片１６が他の葉片間に巻き込まれる状態に折り畳まれる。なおこの状態で生じる２カ所の対向面間には疑似接着フィルムシートＧが介在する。【００３３】  前記図９（Ａ）及び（Ｂ）の状態に折り畳まれた封書シートＳ２を、第二葉片１２表面と第五葉片１５表面同士が対向するように横方向の折り線１９から二つ折りに折り畳み、そして図７（Ａ）及び（Ｂ）の状態とした後にプレスローラ或いはヒートローラ等により加圧或いは加熱加圧処理を施せば、各葉片の対向面間に介在する疑似接着フィルムシートＧ同士は剥離可能に接着され、完全接着フィルムシートＫ同士は剥離不能に接着されて図６（Ａ）及び（Ｂ）の状態、即ち６つ折り葉書Ｆ２となるのである。【００３４】  このようにして製造される６つ折り封書Ｆ２は図７（Ａ）に示すように、上から第一葉片１１、第三葉片１３、第二葉片１２、第五葉片１５、第六葉片１６及び第四葉片１４の順に積み重ねられ、第二葉片１２と第五葉片１５の対向面は完全接着フィルムシートＫの介在により剥離不能に接着され、その他の各葉片の対向面間は疑似接着フィルムシートＧの介在により剥離可能に接着されている。【００３５】  また図７（Ｂ）に示すように、第一葉片１１、第三葉片１３及び第二葉片１２と横方向の折り線１９により連接されている第四葉片１４、第六葉片１６及び第五葉片１５が、前記横方向折り線１９から二つ折りに折り畳まれているため、図中下辺は袋とじ状態となっている。従って前記袋とじ状態の下辺を切除等により解放しなければ展開することはできない。【００３６】  この折り畳み封書Ｆ２の受取人は例えば図６（Ａ）及び（Ｂ）に示すように、下側縁辺に沿って破線で示される切取線２０と、鋏マーク或いは「ここから切り落として開けてください。」の文言等に従い、カッターや鋏等の公知の切除道具により切取線２０を切除する。すると図７（Ｂ）に示す袋とじ状態の下側縁辺が二点鎖線で示す切取線２０から切除されて、全葉片間を剥離する準備が整えられる。【００３７】  なお各葉片の前記切取線２０に対応する部分に切取ミシンを形成し容易に一括破断できるようにしておくことにより、切除道具を使用することなく手で切除できるようにしても構わない。また図７（Ｂ）に示す各葉片の横方向の折り線１９部分に切取ミシンを形成しておいて、横方向の折り線１９を手で破断し袋とじ状態を解除しながら開封できるように操作しても構わない。前記横方向の折り線９に切取ミシンを形成する場合、開封後に切除片が切り屑として残らず極めて至便である。【００３８】  既述の通り下側縁辺を切除した後に、受取人は各葉片間を剥離して最終的に図１０に示すように、中央部分の第二葉片１２と第五葉片１５が全面的に接着された立体的な状態に展開され、折り畳み封書Ｆ２の内部に隠されていた各種情報を、透明或いは半透明な疑似接着フィルムシートＧを透して確認することができるのである。
【実施例３】
【００３９】［８つ折り封書Ｆ３の製造方法］
図１１（Ａ）、（Ｂ）及び図１２（Ａ）、（Ｂ）に示される本実施例３の８つ折り封書Ｆ３は、例えば図１３（Ａ）及び（Ｂ）に示す封書シートＳ３より作られる。封書シートＳ３は縦方向の折り線２９、３０及び３１により横方向に連接された第一葉片２１、第二葉片２２、第三葉片２３及び第四葉片２４が、同様に縦方向の折り線２９、３０及び３１により横方向に連接された第五葉片２５、第六葉片２６、第七葉片２７及び第八葉片２８と横方向の折り線３２を介して、第一葉片２１と第五葉片２５、第二葉片２２と第六葉片２６、第三葉片２３と第七葉片２７及び第四葉片２４と第八葉片２８がそれぞれ隣接するように上下に連接されている。【００４０】  そして前記封書シートＳ３表面は図１３（Ａ）に示すように、第一葉片２１、第二葉片２２、第五葉片２５及び第六葉片２６の略全面が疑似接着フィルムシートＧにより被覆されると共に、第三葉片２３及び第七葉片２７の略全面が完全接着フィルムシートＫに被覆され、さらに前記完全接着フィルムシートＫは縦方向の折り線３１を跨いで第四葉片２４及び第八葉片２８の一部も被覆している。また図１３（Ｂ）に示すように、８つ折り封書用シートＳ３裏面は、８葉片の略全面が疑似接着フィルムシートＧに被覆されている。【００４１】  なお縦方向の折り線２９、３０、３１及び横方向の折り線３２に折りミシンや折り筋等の折り手段を形成しておいて正確に折り畳めるようにしても構わない。本実施例では全ての折り線に折りミシンが形成されている。また折りミシン等の折り手段の形成が封書シートＳ３を形成するシートのみになされていても良く、或いは疑似接着フィルムシートＧと共になされていても構わない。【００４２】  既述の構成の封書シートＳ３は第一段階として、第一葉片２１、第二葉片２２の裏面側及び第五葉片２５、第六葉片２６の裏面側を縦方向の折り線３０から第四葉片２４、第三葉片２３の裏面側及び第八葉片２８、第七葉片２７裏面側へ折り合わせ、図１４（Ａ）、（Ｂ）及び（Ｃ）に示す二つ折りにする。【００４３】  引き続き前記二つ折りに折り畳まれた封書シートＳ３は、図１４（Ｂ）及び（Ｃ）に矢印で示すように、第二葉片２２表面と第一葉片２１表面同士が対向するように、また第六葉片２６表面と第五葉片２５表面同士が対向するようにそれぞれ重なり合う折り線２９及び３１から折り合わせて図１５（Ａ）、（Ｂ）及び（Ｃ）の状態に折り畳む。【００４４】  そして前記図１５（Ａ）、（Ｂ）及び（Ｃ）の状態に折り畳まれた封書シートＳ３を、第三葉片２３表面と第七葉片２７表面同士が対向するように横方向の折り線３２から二つ折りに折り畳み、図１２（Ａ）及び（Ｂ）の状態にとした後にプレスローラ或いはヒートローラ等により加圧或いは加熱加圧処理を施せば、各葉片の対向面間に介在する疑似接着フィルムシートＧ同士は剥離可能に接着され、完全接着フィルムシートＫ同士は剥離不能に接着されて図１１（Ａ）及び（Ｂ）に示される状態、即ち８つ折り封書Ｆ３となるのである。【００４５】  このようにして製造される８つ折り封書Ｆ３は図１２（Ａ）に示すように、上から第四葉片２４、第一葉片２１、第二葉片２２、第三葉片２３、第七葉片２７、第六葉片２６、第五葉片２５及び第八葉片２８の順に積み重ねられ、第三葉片２３と第七葉片２７の対向面間は完全接着フィルムシートＫの介在により剥離不能に接着され、その他の各葉片の対向面間は疑似接着フィルムシートＧの介在により剥離可能に接着されている。【００４６】  また図１２（Ｂ）に示すように、第四葉片２４、第一葉片２１、第二葉片２２及び第三葉片２３と横方向の折り線３２により連接されている第八葉片２８、第五葉片２５、第六葉片２６及び第七葉片２７が前記横方向の折り線３２から二つ折りに折り畳まれているため図中下辺が袋とじ状態となっている。従って前記袋とじ状態の下辺を切除等により解放しなければ展開することはできない。【００４７】  この折り畳み封書Ｆ３の受取人は例えば図１１（Ａ）及び（Ｂ）に示すように、下側縁辺に沿って破線で示される切取線３３と鋏マーク或いは「ここから切り落として開けてください。」の文言等に従い、カッターや鋏等公知の切除道具により切取線３３を切除する。すると図１２（Ｂ）に示す袋とじ状態の下側縁辺を二点鎖線で示す切取線３３から切除することになり、全葉片間を剥離する準備が整えられる。【００４８】  なお各葉片の前記切取線３３に対応する部分に切取ミシンを形成し容易に一括破断できるようにしておくことにより、切除道具を使用することなく手で除去できるようにしても構わない。また図１２（Ｂ）に示す横方向の折り線３２部分に切取ミシンを形成しておいて、前記横方向の折り線３２を手で破断し袋とじ状態を解除しながら開封できるよう操作しても構わない。なお前記横方向の折り線３２に切取ミシンを形成する場合、開封後に切除片が切り屑として残らず極めて至便である。【００４９】  既述の通り下側縁辺を切除した後に、受取人は各葉片間を剥離して最終的に図１６に示すように、中央部分の第三葉片２３と第七葉片２７が全面的に接着され、下部に第一葉片２１、第二葉片２２、第六葉片２６及び第五葉片２５が展開すると共に上部に第四葉片２４及び第八葉片２８を立体的に展開させることができる。そして折り畳み封書Ｆ３の内部に隠されていた各種情報を、透明或いは半透明な疑似接着フィルムシートＧを透して確認することができるのである。
【実施例４】
【００５０】［８つ折り封書Ｆ４の製造方法］
図１７（Ａ）、（Ｂ）及び図１８（Ａ）、（Ｂ）に示される本実施例４の８つ折り封書Ｆ４は、例えば図１９（Ａ）及び（Ｂ）に示す封書シートＳ４より作られる。封書シートＳ４は縦方向の折り線４９、５０及び５１により横方向に連接された第一葉片４１、第二葉片４２、第三葉片４３及び第四葉片４４が、同様に縦方向の折り線４９、５０及び５１により横方向に連接された第五葉片４５、第六葉片４６、第七葉片４７及び第八葉片４８と横方向の折り線５２を介して、第一葉片４１と第五葉片４５、第二葉片４２と第六葉片４６、第三葉片４３と第七葉片４７及び第四葉片４４と第八葉片４８がそれぞれ隣接するように上下に連接されている。【００５１】  そして前記封書シートＳ４表面は図１９（Ａ）に示すように、第三葉片４３、第四葉片４４、第七葉片４７及び第八葉片４８の略全面が疑似接着フィルムシートＧにより被覆されると共に、第一葉片４１及び第五葉片４５の略全面が完全接着フィルムシートＫに被覆されている。また図１９（Ｂ）に示すように、８つ折り封書用シートＳ４裏面は、８葉片の略全面が疑似接着フィルムシートＧに被覆されている。【００５２】  なお縦方向の折り線４９、５０、５１及び横方向の折り線５２に折りミシンや折り筋等の折り手段を形成しておいて正確に折り畳めるようにしても構わない。本実施例では全ての折り線に折りミシンが形成されている。また折りミシン等の折り手段の形成が封書シートＳ４を形成するシートのみになされていても良く、或いは疑似接着フィルムシートＧと共になされていても構わない。【００５３】  既述の構成の封書シートＳ４は第一段階として図２０（Ａ）、（Ｂ）及び（Ｃ）に示すように、第一葉片４１、第二葉片４２の裏面側及び第五葉片４５、第六葉片４６の裏面側を縦方向の折り線５０から第四葉片４４、第三葉片４３の裏面側及び第八葉片４８、第七葉片４７裏面側へ折り合わせ、二つ折り状態に折り畳まれる。【００５４】  引き続き前記二つ折りに折り畳まれた封書シートＳ４は、図２０（Ｂ）及び（Ｃ）に矢印で示すように、第四葉片４４表面と第三葉片４３表面同士が対向するように、また第八葉片４８表面と第七葉片４７表面同士が対向するようにそれぞれ重なり合う折り線４９及び５１から折り合わせて図２１（Ａ）、（Ｂ）及び（Ｃ）の状態に折り畳む。【００５５】  そして前記図２１（Ａ）、（Ｂ）及び（Ｃ）の状態に折り畳まれた封書シートＳ４を、第一葉片４１表面と第五葉片４５表面同士が対向するように横方向の折り線５２から二つ折りに折り畳み、図１８（Ａ）及び（Ｂ）の状態にした後にプレスローラ或いはヒートローラ等により加圧或いは加熱加圧処理を施せば、各葉片の対向面間に介在する疑似接着フィルムシートＧ同士は剥離可能に接着され、完全接着フィルムシートＫ同士は剥離不能に接着されて図１７（Ａ）及び（Ｂ）に示される状態、即ち８つ折り封書Ｆ４となるのである。【００５６】  このようにして製造される８つ折り封書Ｆ４は図１８（Ａ）に示すように、上から第二葉片４２、第三葉片４３、第四葉片４４、第一葉片４１、第五葉片４５、第八葉片４８、第七葉片４７及び第六葉片４６の順に積み重ねられ、第一葉片４１と第五葉片４５の対向面間は完全接着フィルムシートＫの介在により剥離不能に接着され、その他の各葉片の対向面間は疑似接着フィルムシートＧの介在により剥離可能に接着されている。【００５７】  また図１８（Ｂ）に示すように、第二葉片４２、第三葉片４３、第四葉片４４及び第一葉片４１と横方向の折り線５２により連接されている第五葉片４５、第八葉片４８、第七葉片４７及び第六葉片４６が前記横方向の折り線５２から二つ折りに折り畳まれているため図中下辺が袋とじ状態となっている。従って前記袋とじ状態の下辺を切除等により解放しなければ展開することはできない。【００５８】  この折り畳み封書Ｆ４の受取人は例えば図１７（Ａ）及び（Ｂ）に示すように、下側縁辺に沿って破線で示される切取線５３と鋏マーク或いは「ここから切り落として開けてください。」の文言等に従い、カッターや鋏等公知の切除道具により切取線５３を切除する。すると図１８（Ｂ）に示す袋とじ状態の下側縁辺を二点鎖線で示す切取線５３から切除することになり、全葉片間を剥離する準備が整えられる。【００５９】  なお各葉片の前記切取線５３に対応する部分に切取ミシンを形成し容易に一括破断できるようにしておくことにより、切除道具を使用することなく手で除去できるようにしても構わない。また図１８（Ｂ）に示す横方向の折り線５２部分に切取ミシンを形成しておいて、前記横方向の折り線５２を手で破断し袋とじ状態を解除しながら開封できるよう操作しても構わない。なお前記横方向の折り線５２に切取ミシンを形成する場合、開封後に切除片が切り屑として残らず極めて至便である。【００６０】  既述の通り下側縁辺を切除した後に、受取人は各葉片間を剥離して最終的に図２２に示すように、中央部分の第一葉片４１と第五葉片４５が全面的に接着され、前記２葉片に連接するその他の各葉片を平面状態に展開することができる。そして折り畳み封書Ｆ４の内部に隠されていた各種情報を、透明或いは半透明な疑似接着フィルムシートＧを透して確認することができるのである。【００６１】  なお本発明は上記実施例に限られるものではない。
例えば、上記実施例では上下に３葉片配置した合計６葉片の封書シートＳ１及びＳ２、或いは上下に４葉片を配置した合計８葉片の封書シートＳ３及びＳ４を例として記載しているが、その他に上下５葉片を配置した合計１０葉片或いはそれ以上の葉片から構成される封書シートを使用しても構わない。
また実施例中に記載してあるが、蛇腹折りや巻き折り、観音開き折りやそれらの複合折り等葉片の折り畳み形態に関しても制限はない
さらに何れの対向葉片を剥離不能に接着するかの選択にも制限はなく剥離不能の葉片数にも制限はない。前記選択に伴い各葉片の幅も自由に選択すればよい。【００６２】  上記各実施例では袋状に閉じられた折り畳み封書が記載されているが、各葉片の切取線に対応する部分に破断用の切取ミシンを形成しておけば、受取人は切除装具を使用することなく容易に手で一括破断して切除できるので至便である。
また、予め袋状に閉じられた部分を切除しておいて、下側縁辺を開放した状態で投函するようにしても構わない。そのようにしておけば受取人はわざわざ切除道具を持ち出す必要がなく、また切除した切り屑が発生しないので至便である。【００６３】  本発明の折り畳み封書の製造方法は、封書シートが印刷された長尺状シート或いは枚葉状シートに以下の工程が付加されて製造される。
１）折り畳み封書シートが印刷された長尺状シート或いは枚葉状シートに、疑似接着フィ    ルムシート或いは完全接着フィルムシートを被覆する被覆工程。
２）疑似接着フィルムシート或いは完全接着フィルムシートが所定の位置に被覆された長    尺状シート或いは枚葉状シートを折り畳む折り畳み工程。
３）折り畳まれた長尺状シート或いは枚葉状シートを個切りする工程。
４）個切りされた封書シートに加圧或いは加熱・加圧処理を施して、疑似接着及び完全接    着を完了する接着工程。
なお、上記の工程中に折りミシンや折り筋等の折り手段形成工程が何れかの工程間に配置されても構わず、工程の順序が入れ替わっても構わない。また個切りするに際して、流れ方向の余白をスリッターにより切除した後に天地方向をダイカットローラやギロチン方式の断裁機により断裁する等、段階的に実行されることもある。即ち長尺状シート或いは枚葉状シートの取り扱いに適合した配置の工程で製造されることになる。
【符号の説明】
【００６４】Ｆ１、Ｆ２  ６つ折り封書
Ｆ３、Ｆ４  ８つ折り封書
Ｓ１、Ｓ２、Ｓ３、Ｓ４  封書シート
Ｇ  疑似接着フィルムシート
Ｋ  完全接着フィルムシート
１、２、３、４、５、６、１１、１２、１３、１４、１５、１６、２１、２２、２３、２４、２５、２６、２７、２８、４１、４２、４３、４４、４５、４６、４７、４８  葉片
７、８、１７、１８、２９、３０、３１、４９、５０、５１  縦方向の折り線
９、１９、３２、５２  横方向の折り線
１０、２０、３３、５３  切取線
【図１】
2019084809.tif 000003
【図２】
2019084809.tif 000004
【図３】
2019084809.tif 000005
【図４】
2019084809.tif 000006
【図５】
2019084809.tif 000007
【図６】
2019084809.tif 000008
【図７】
2019084809.tif 000009
【図８】
2019084809.tif 000010
【図９】
2019084809.tif 000011
【図１０】
2019084809.tif 000012
【図１１】
2019084809.tif 000013
【図１２】
2019084809.tif 000014
【図１３】
2019084809.tif 000015
【図１４】
2019084809.tif 000016
【図１５】
2019084809.tif 000017
【図１６】
2019084809.tif 000018
【図１７】
2019084809.tif 000019
【図１８】
2019084809.tif 000020
【図１９】
2019084809.tif 000021
【図２０】
2019084809.tif 000022
【図２１】
2019084809.tif 000023
【図２２】
2019084809.tif 000024